(57)【要約】【課題】  面ファスナを用いて脱ぎ履きが容易であるとともに、幼児の健全な成長に悪影響を与えることなく幼児の足にしっかりと固定することができ、また面ファスナが外れた場合においても幼児の足から脱げてしまうことのない幼児用靴を提供する。【解決手段】  幼児用靴１０は、靴底１１と、靴本体１５と、靴本体１５の一側から延びる第１タング１９と、靴本体１５の他側から延びる第２タング２２と、第２タング２２に取り付けられ第２タング２２の位置を調節する調節布２５とを有している。調節布２５に第１面ファスナ１９が設けられ、靴本体１５に調節布２５が係合するとともに折り返される係合部３１が設けられている。第２タング２２および靴本体１５のどちらか一方または両方の外面に、第１面ファスナ１９と係合する第２面ファスナ２２が設けられている。第１タング１９は弾性材２５により靴本体１５または第２タング２２に引き寄せられる。【選択図】  図１
2005118470.tif 000002
【特許請求の範囲】
【請求項１】
靴底と、
靴底上に設けられた靴本体と、
靴本体の一側から延びる第１タングと、
靴本体の他側から延び、第１タングの外側に配置された第２タングと、
第２タングに取り付けられ第２タングの靴本体に対する位置を調節する調節布と、
調節布に設けられた第１面ファスナと、
靴本体に設けられ調節布が係合するとともに折り返される係合部とを備え、
第２タングおよび靴本体のどちらか一方または両方の外面に、係合部を介して折り返された調節布に設けられた第１面ファスナと係合する第２面ファスナが設けられ、
第１タングは弾性材により靴本体または第２タングに引き寄せられていることを特徴とする幼児用靴。
【請求項２】
幼児が履いた場合、調節布と第２タングは幼児の足の甲を覆うように配置されていることを特徴とする請求項１記載の幼児用靴。
【請求項３】
幼児が履いた場合、弾性材は幼児の足の甲に対応する位置に配置されていることを特徴とする請求項１記載の幼児用靴。
【請求項４】
弾性材の一端は第１タングまたは靴本体の外面に取り付けられ、
弾性材の他端は第２タングまたは靴本体の内面に取り付けられ、
弾性材は第１タングの外面と第２タングの内面との間に配置されていることを特徴とする請求項１記載の幼児用靴。
【請求項５】
第１タングの外面に、弾性材を案内する案内部が設けられていることを特徴とする請求項１記載の幼児用靴。
【請求項６】
第１面ファスナと第２面ファスナとを係合した場合、弾性材は第２タングによって覆われることを特徴とする請求項１記載の幼児用靴。
【請求項７】
係合部は角リングからなることを特徴とする請求項１記載の幼児用靴。
【発明の詳細な説明】
【技術分野】
【０００１】
本発明は、面ファスナを用いることにより脱ぎ履きが容易な幼児用靴に関する。
【背景技術】
【０００２】
幼児用靴の大きな特徴は、大人用の靴とは異なり幼児の健全な成長を妨げないため、幼児が靴を履いた際につま先部分にゆとりを設けていることである。このため、幼児用靴は甲部分を締め付けて、幼児の足の甲をこれに垂直な方向、すなわち、略かかとの方向にやんわりと押しつけている。このことにより、幼児用靴と幼児の足との隙間を埋め、幼児用靴が幼児の足１から脱げないようにしている。
【０００３】
また、幼児は頻繁に靴を脱ぎ履きするため、幼児用靴は脱ぎやすくまた履きやすいものでなければならない。
【０００４】
これらの要求を満たすために、靴の甲部分の締め付けを面ファスナによって調節する幼児用靴がいくつか開発されている。
【特許文献１】特開２００２−３５５１０５
【特許文献２】特開平１１−７５９０１
【発明の開示】
【発明が解決しようとする課題】
【０００５】
特許文献１は、靴の甲部分に設けた面ファスナを内側から外側、または外側から内側に締め付けることにより、靴の甲部分を足に押しつけて靴を足に固定するものである。このように、面ファスナを一方向のみに引っ張る靴においては、甲部分の締め付け具合が内側と外側とで不均等となり、靴を足にしっかりと固定することができないだけでなく、足の健全な成長を妨げることになる。
【０００６】
特許文献２は、靴の両側部を後方に引っ張り、かかとの後ろで両側部を面ファスナにより固定するものである。このような締め付け方法では、甲部分の締め付けは緩く、代わりに足首を締め付けることになる。この結果、靴内部で幼児の足は固定されていないため、歩行中の安定性に欠けることがある。
【０００７】
他方、面ファスナは固定が容易であると共に、取り外しも容易であるが、特許文献１および特許文献２に記載された靴では、面ファスナが外れた場合、靴は幼児の足から容易に脱げてしまうことも考えられる。
【０００８】
本発明はこのような点を考慮してなされたものであり、面ファスナを用いて脱ぎ履きが容易であるとともに、幼児の健全な成長に悪影響を与えることなく幼児の足にしっかりと固定することができ、また面ファスナが外れた場合においても幼児の足から脱げてしまうことのない幼児用靴を提供することである。
【課題を解決するための手段】
【０００９】
本発明は、靴底と、靴底上に設けられた靴本体と、靴本体の一側から延びる第１タングと、靴本体の他側から延び、第１タングの外側に配置された第２タングと、第２タングに取り付けられ第２タングの靴本体に対する位置を調節する調節布と、調節布に設けられた第１面ファスナと、靴本体に設けられ調節布が係合するとともに折り返される係合部とを備え、第２タングおよび靴本体のどちらか一方または両方の外面に、係合部を介して折り返された調節布に設けられた第１面ファスナと係合する第２面ファスナが設けられ、第１タングは弾性材により靴本体または第２タングに引き寄せられていることを特徴とする幼児用靴である。
【００１０】
本発明は、幼児が履いた場合、調節布と第２タングは幼児の足の甲を覆うように配置されていることを特徴とする幼児用靴である。
【００１１】
本発明は、幼児が履いた場合、弾性材は幼児の足の甲に対応する位置に配置されていることを特徴とする幼児用靴である。
【００１２】
本発明は、弾性材の一端は第１タングまたは靴本体の外面に取り付けられ、弾性材の他端は第２タングまたは靴本体の内面に取り付けられ、弾性材は第１タングの外面と第２タングの内面との間に配置されていることを特徴とする幼児用靴である。
【００１３】
本発明は、第１タングの外面に、弾性材を案内する案内部が設けられていることを特徴とする幼児用靴である。
【００１４】
本発明は、第１面ファスナと第２面ファスナとを係合した場合、弾性材は第２タングによって覆われていることを特徴とする幼児用靴である。
【００１５】
本発明は、係合部は角リングからなることを特徴とする幼児用靴である。
【発明の効果】
【００１６】
本発明によれば、面ファスナを用い幼児用靴の脱ぎ履きが容易であるととともに、幼児の健全な成長に悪影響を与えることなく幼児の足にしっかりと固定することができる。また、面ファスナが外れた場合においても幼児用靴は幼児の足から脱げることはない。
【発明を実施するための最良の形態】
【００１７】
以下、図面を参照して本発明の実施の形態について説明する。
【００１８】
図１乃至図４は本発明による幼児用靴の一実施の形態を示す図である。
【００１９】
このうち図１は右足用の幼児用靴を内側から見た斜視図であり、図２は左足用の幼児用靴を外側から見た斜視図であり、図３は右足用の幼児用靴の部分斜視図であり、図４は幼児が幼児用靴を履いた状態の断面図である。
【００２０】
図１乃至図４に示すように、幼児用靴１０は靴底１１と、靴底１１上部に設けられた靴本体１５と、靴本体１５の一側から延びる第１タング１９と、靴本体１５の他側から延び第１タング１９の外側に配置された第２タング２２と、第２タング２２に取り付けられた調節布２５と、靴本体１５に設けられ調節布２５に係合するとともに調節布２５が折り返される係合部３１と、第１タング１９と第２タング２２との間に配置された弾性材３５とを備えている。
【００２１】
なお、図１は第２タング２２が外方に揺動されているが、弾性材３５が伸びを生じていない状態を示す図であり、図３は第２タング２２が外方に揺動され、かつ弾性材３５が伸ばされた状態を示す図である。
【００２２】
図１乃至図３において靴底１１は幼児の足１の裏面形状に沿った形状となっており、ゴム等を材料として形成される。
【００２３】
また図１および図２に示すように、靴本体１５は幼児の足首を囲むための開口１６を有し、幼児の足首より下側の足１を包むような形状となっている。靴本体１５の外面１５ａの爪先部分とかかと部分には、それぞれ補強部材１５ｃ，１５ｄが設けられている。また、靴本体１５の後方で開口１６に面する部分には、幼児用靴１０を持ち運びする際に役立つフック１５ｅが設けられている。このような、靴本体１５、補強部材１５ｃ，１５ｄおよびフック１５ｅはキャンバス地または合皮等からなる。
【００２４】
次に、第１タング１９について説明する。第１タング１９は靴本体１５と同様にキャンバス地または合皮等からなり、幼児が幼児用靴１０を履いた場合に幼児の足１の甲１ａに面する位置に配置されている（図４）。この第１タング１９は靴本体１５の一側の側面、本実施の形態においては左右の靴ともそれぞれ足１の内側に対応する側面に、連結部１９ｃを介して連結されている。また、この第１タング１９は連結部１９ｃから他側の側面、すなわちそれぞれ足１の外側に対応する側面に向けて延びている（図１および図３）。なお、本実施の形態において、第１タング１９、靴本体１５は互いに一体に形成されている。
【００２５】
また、第１タング１９は前側において、部分１９ｄで靴本体１５に連結されているが、他の部分１９ｅでは連結されていない（図１および図３）。このため、第１タング１９は靴本体１５に対して揺動自在となっており、揺動することにより開口１６を広げることができる。  
次に第２タング２２について説明する。第２タング２２は第１タング１９と同様にキャンバス地または合皮等からなり、第１タング１９の外側に、すなわち幼児の足１の甲１ａに対応する位置に配置されている。この第２タング２２は靴本体１５の他側の側面、本実施の形態においては左右の靴１０ともそれぞれ足１の外側に対応する側面に連結され、靴本体１５の一側の側面、すなわちそれぞれ足１の内側に対応する側面に向けて延びている（図１乃至３）。なお、本実施の形態において、第２タング２２、靴本体１５は互いに一体に形成されている。
【００２６】
また、第２タング２２はその前側の部分２２ｃが靴本体１５に連結されていないため、靴本体１５に対して揺動自在となっており、揺動することにより開口１６を広げることができる。
【００２７】
このような第２タング２２は幼児の足１の甲１ａをすっかり覆うことができる幅を有しており、本実施の形態においては例えば足裏の長さが１４ｃｍの場合、幅は４〜５ｃｍとなっている。
【００２８】
また、第２タング２２の先端には調節布２５が設けられている（図１および図３）。調節布２５の幅は幼児の足１の甲１ａの長さと略同一となっており、本実施の形態においては例えば足裏の長さが１４ｃｍの場合、幅は２〜３ｃｍとなっている。
【００２９】
さらに、靴本体１５の一側（本実施の形態において、左右の靴のそれぞれ内側）の側面には調整布２５と係合する係合部３１が設けられている。係合部３１は例えばプラスチック製の角リングからなっており、調整布２５はこの係合部３１を貫通することができる。本実施の形態において、係合部３１は靴本体１５に固定されたベルト３２を介して靴本体１５に固定されており、幼児が幼児用靴１０を履いた場合に足１の甲１ａの一側（本実施の形態において、左右の靴のそれぞれ内側）の側端部に対応する位置に配置されている（図１）。
【００３０】
また、調整布２５に第１面ファスナ２６が縫い付けられており、他方、幼児が幼児用靴１０を履いた場合に足１の甲１ａの他側（本実施の形態において、左右の靴のそれぞれ外側）の側端部に対応する位置に第２面ファスナ２７が設けられている。本実施の形態においては図２に示すように、第２面ファスナ２７は第２タング２２の外面２２ａおよび靴本体１５の外面１５ａにまたがる位置に縫い付けられている。これら第１面ファスナ２６と第２面ファスナ２７は係合して互いに固定し合うことができるとともに取り外し自在なファスナとなっている。なお、調整布２５が係合部３１を貫通して折り返された場合に第１面ファスナ２６に面する位置に第２面ファスナ２７がくるよう、調整布２５の長さが定められている。
【００３１】
次に弾性材３５について説明する。図３に示すように弾性材３５の一端３５ａは第１タング１９の外面１９ａであって連結部１９ｃ近傍に取り付けられ、他端３５ｂは第２タング２２の内面２２ｂであって第２タング２２の靴本体１５に対する揺動部近傍に取り付けられている。すなわち、弾性材３５は第１タング１９の外面１９ａと第２タング２２の内面２２ｂとの間であって、幼児が幼児用靴１０を履いた場合に幼児の足１の甲１ａに対応する位置に配置されている。
【００３２】
また、第１タング１９の外面１９ａには弾性材３５を案内する案内部３６が設けられている（図３）。この案内部３６は第１タング１９に縫い付けられている。
【００３３】
したがって、第１タング１９は弾性材３５に引っ張られるとともに、第１タング１９は案内部を介して弾性材３５に吊られた状態となっている。このため、第１タング１９は第２タング２２の内面２２ｂに引き寄せられるとともに、第１タング１９が靴本体１５内に垂れてしまうことはない。
【００３４】
また、幼児が幼児用靴１０を履いて第１タング１９と第２タング２２が若干離間された場合、弾性材３５は伸ばされて弾性力を生じるようになる。このため、面ファスナ２６，２７が何らかの原因で外れたとしても弾性材３５によって第１タング１９の動きが規制され、幼児の足１から幼児用靴１０が脱げてしまうことはない。
【００３５】
さらに、第１タング１９と弾性材３５は互いに対して摺動することができるようになっているので、幼児用靴１０を履く場合に弾性材３５を伸ばして靴本体１５の開口１６を大きく広げることができる。
【００３６】
このような弾性材３５は幼児の甲１ａを充分押さえつけることができるように幅広となっており、例えば幅２ｃｍのゴム材からなる。また、弾性材３５に外力が加わっていない場合、案内部３６は弾性材３５の第２タング２２側への取り付け部である他端３５ｂ近傍にある。このように案内部３６を配置した場合、第１タング１９を第２タング２２に引き寄せる力が最も効率的に発揮される。
【００３７】
また、第２タング２２を第１タング１９上に配置し、第１面ファスナ２６と第２面ファスナ２７とを係合させた場合、弾性材３５は第２タング２２によって覆われるようになっている。このため幼児用靴１０全体のデザイン性を害することはない。
【００３８】
次に、このような構成からなる本実施の形態の作用について説明する。
【００３９】
まず、幼児に幼児用靴１０を履かせる場合、調節布３５を引っ張り第１面ファスナ２６が第２面ファスナ２７から引き剥がされる。次に、第２タング２２を靴本体１５に対して外方へ揺動させ、その後、弾性材３５の弾性力に抗して第１タング１９を外方へ揺動させて靴本体１５の開口１６が広げられる。その後、幼児の足１が広げられた開口１６から靴本体１５内に挿入される（図３参照）。
【００４０】
この場合、第１タング１９と第２タング２２との間に取り付けられた弾性材３５はある程度の長さを有しているので大きな伸び量が得られ、また第１タング１９は外方へ摺動可能であることから、靴本体１５の開口１６を大きく広げることができる。このため、幼児の足１を靴本体１５内に容易に挿入することができる。
【００４１】
なお、幼児が自分で幼児用靴１０を履く場合には、第２タング２２のみを揺動させて足１を幼児用靴１０に挿入することも可能である。この場合、弾性材３５により第１タング１９が靴本体１５内に垂れることを防止するとともに、足１の挿入にともなって弾性材３５が伸びて開口１６が広げられ、複雑な作業を要することなく、幼児が一人で幼児用靴１０を容易に履くことができる。
【００４２】
次に、幼児の足１に幼児用靴１０を固定するため、調節布２５が係合部３１を貫通した後で引っ張られ、第２タング２２の靴本体１５に対する位置が調節される。この場合、第１タング１９と第２タング２２は、弾性材３５と案内部３６とによって、幼児の足１の甲１ａの部分に重ねられた状態で位置決めされる。次に、第２タング２２を引っ張り、幼児の甲１ａに適当な押しつけ力を生じさせた状態で、第１面ファスナ２６が第２面ファスナ２７に当接する。このことにより、第１面ファスナ２６と第２面ファスナ２７が固定された状態に保持され、幼児の足１に幼児用靴１０が固定される。このようにして、幼児用靴１０を容易に履くことができる。
【００４３】
このようにして、係合部３１と第２面ファスナ２７との間に延びる調節布２５および第２タング２２により、幼児の足１を押しつける力が発生する。
【００４４】
本実施の形態においては、調節布２５の幅は幼児の足１の甲１ａの長さと略同一となっており、係合部３１と第２面ファスナ２７はそれぞれ足１の甲１ａの一側（左右の足のそれぞれ内側）および他側（左右の足のそれぞれ外側）の側端部に対応する位置に配置されている。このように、第２タング２２と調節布２５は幼児の足１の甲１ａ全面を覆うように配置されるため、足１の甲１ａ全面を均一な力で、これに垂直な方向、すなわち略かかとの方向に向けて押しつけることができ、このため幼児の健全な成長を妨げることはない。
【００４５】
さらに、第２面ファスナ２７への第１面ファスナ２６の固定位置は無段階に調整することができるので、幼児の足１への押しつけ力を適切に調節することができる。
【００４６】
また、面ファスナ２６，２７は固定が容易であるとともに取り外しも容易であり、特に幼児が自身で幼児用靴１０を履いた場合においては、第１面ファスナ２６と第２面ファスナ２７との固定が不完全となっていることも考えられる。このような場合、幼児が幼児用靴１０を履いている間に、第１面ファスナ２６が第２面ファスナ２７から外れてしまうことも考えられる。
【００４７】
本実施の形態の場合においては、第１タング１９と第２タング２２との間であって、幼児の足１の甲１ａに対応する位置に幅広の弾性材３５が設けられ、この弾性材３５は、第１タング１９と第２タング２２との間で弾性力を生じさせる。このため、靴本体１５の開口１６が広がることを防止するとともに、幼児の足１の甲１ａをこれに垂直な方向に押しつけることができる。したがって、第１面ファスナ２６が第２面ファスナ２７から外れたとしても、幼児の足１から幼児用靴１０が簡単に脱げてしまうことを防止することができる。
【００４８】
以上のようにして履いた幼児用靴１０を脱ぐ場合には、まず調節布２５を引っ張ることにより、第１面ファスナ２６が第２面ファスナ２７から引き剥がされる。次に第１タング１９および第２タング２２が各々外方へ揺動されることにより靴本体１５の開口１６が大きく広げられる。このため、靴本体１５から幼児の足１を引き出すことができる。このようにして容易に幼児用靴１０を脱ぐことができる。
【００４９】
以上のように本実施の形態によれば、揺動自在な第１タング１９と第２タング２２により靴本体１５の開口１６を大きく広げることができ、また固定および取り外しの容易な第１面ファスナ２６と第２面ファスナ２７とにより幼児用靴１０を幼児の足１に固定することができる。このため、幼児用靴１０を幼児に容易に脱ぎ履きさせることがきるとともに、幼児が自分で幼児用靴１０を脱ぎ履きすることもでき、この場合幼児の指先の訓練にもなる。
【００５０】
また、幼児用靴１０を幼児の足１に固定するために押しつけ力を発生させる調整布２５と第２タング２２は幼児の足１の甲１ａ全面を覆うように配置されているので、足１の甲１ａ全面を均一な力で、これに垂直な方向、すなわちかかとの方向に向けて押しつける力を発生させることができ、幼児の健全な成長を妨げることなく幼児の足１に幼児用靴１０をしっかりと固定することができる。
【００５１】
さらに、第１タング１９と第２タング２２との間であって、幼児の足１の甲１ａに対応する位置に弾性材３５が設けられ、この弾性材３５は、第１タング１９と第２タング２２との間で収縮力を生じ靴本体１５の開口１６が広がることを防止するとともに、幼児の足１の甲１ａをこれに垂直な方向に押しつける。したがって、第１面ファスナ２６が第２面ファスナ２７から外れたとしても、幼児の足１から幼児用靴１０が簡単に脱げてしまうことを防止することができる。
【００５２】
なお本実施の形態においては、弾性材３５の一端３５ａを第１タング１９の外面１９ａに取り付け、他端３５ｂを第２タング２２の内面２２ｂに取り付けた例を示したが、これに限らず弾性材３５の一端３５ａを靴本体１５の外面１５ａに取り付けることも可能であり、また弾性材３５の他端３５ｂを靴本体１５の内面１５ｂに取り付けることも可能である。なお、弾性材３５の他端３５ｂを靴本体１５の内面１５ｂに取り付けた場合には、第１タング１９は靴本体１５に引き寄せられることになる。
【図面の簡単な説明】
【００５３】
【図１】本発明による幼児用靴の一実施の形態の右足用の幼児用靴を内側から見た斜視図。
【図２】左足用の幼児用靴を外側から見た斜視図。
【図３】右足用の幼児用靴の部分斜視図。
【図４】幼児が幼児用靴を履いた状態の断面図。
【符号の説明】
【００５４】
１  足
１ａ  甲
１０  幼児用靴
１１  靴底
１５  靴本体
１５ａ  外面
１５ｂ  内面
１９  第１タング
１９ａ  外面
２２  第２タング
２２ｂ  内面
２５  調節布
２６  第１面ファスナ
２７  第２面ファスナ
３１  係合部
３５  弾性材
３５ａ  一端
３５ｂ  他端
３６  案内部
【図１】
2005118470.tif 000003
【図２】
2005118470.tif 000004
【図３】
2005118470.tif 000005
【図４】
2005118470.tif 000006